(57)【要約】【課題】ＤＶＤやＣＤなどを収納し、且つ防犯タグを保持した状態で施蓋状態をロックしておくことができる収納ケースを提供する。【解決手段】情報記録媒体が収納される本体部１２と蓋体１４とをヒンジ部１３を介して合体自在に形成し、前記本体部１２と蓋体１４とを合体させた後に、ヒンジ部１３側に対向する端部に嵌め合わせるホルダー１５を備え、合体した本体部１２及び蓋体１４には、係合凹部２７が形成され、前記ホルダー１５には、前記係合凹部２７に突出するロック機構３２が設けられている情報記録媒体の収納ケース１１であって、前記本体部１２と蓋体１４とホルダー１５とには、嵌め合せ状態を保持する保持手段が設けられている。【選択図】　　　図２
2004131128.tif 000002
【特許請求の範囲】
【請求項１】
情報記録媒体が収納される本体部と蓋体とをヒンジ部を介して合体自在に形成し、前記本体部と蓋体とを合体させた後に、ヒンジ部側に対向する端部に嵌め合わせるホルダーを備え、
合体した本体部及び蓋体には、係合凹部が形成され、
前記ホルダーには、前記係合凹部に突出するロック機構が設けられている情報記録媒体の収納ケースであって、
前記本体部と蓋体とホルダーとには、嵌め合せ状態を保持する保持手段が設けられていることを特徴とする収納ケース。
【請求項２】
保持手段は、前記ホルダーに設けられた突片又は突条部と、前記本体部又は蓋体に設けられると共に前記突片又は突条部が嵌合する凹部又は長溝とであることを特徴とする請求項１に記載の収納ケース。
【発明の詳細な説明】
【０００１】
【発明の属する技術分野】
本発明は、主にＤＶＤ（デジタル・ビデオ・ディスク）やＣＤ（コンパクト・ディスク）などの情報記録媒体を納める収納ケースに関するものであり、更に詳しくは、防犯タグを保持した状態でロック（施錠）しておくことができる収納ケースに関するものである。
【０００２】
【従来の技術】
従来、この種の収納ケースとしては、次のような構成のものを本願出願人が特許出願している。即ち、長方形状の第１側蓋と、この第１側蓋の端部にヒンジ部を介して折曲自在に設けられた天板と、この天板の端部にヒンジ部を介して折曲自在に設けられると共に第１側蓋に臨んで施蓋する第２側蓋と、施蓋した側蓋に装着するホルダーとから構成される（特許文献１参照）。
【０００３】
第１側蓋及び第２側蓋の一方の縁部におけるそれぞれ対応する位置には、施蓋したときに係合凹部を形成するための凹状切欠部がそれぞれ設けられている。また、ホルダーの一方の側面板にはロック機構が設けられており、このロック機構のロック部材を係合凹部に突出させて施蓋状態をロックする。
【０００４】
【特許文献１】
特開２００２−４６７８９号公報（図１、図５）
【０００５】
【発明が解決しようとする課題】
この従来例の収納ケースにおいては、一方の側面板に設けられたロック機構によってホルダーの取り外しを規制している。このため、ロック機構と反対側に位置する側面板近傍はフリーな状態にあり、ここを強制的に引っ張ってホルダーを無理矢理取り外そうとして、ケースの中のＤＶＤを万引きしようとする場合があった。このような悪意の行為により、ホルダーが歪んで変形するという問題点を有している。
【０００６】
従って、従来例における収納ケースにおいては、ホルダーの装着状態を強固でシッカリとしたものにして、前記悪意の行為によるホルダーの歪みや変形を防止することに解決しなければならない課題を有している。
【０００７】
【課題を解決するための手段】
前記従来例の課題を解決する具体的手段として本発明は、情報記録媒体が収納される本体部と蓋体とをヒンジ部を介して合体自在に形成し、前記本体部と蓋体とを合体させた後に、ヒンジ部側に対向する端部に嵌め合わせるホルダーを備え、合体した本体部及び蓋体には、係合凹部が形成され、前記ホルダーには、前記係合凹部に突出するロック機構が設けられている情報記録媒体の収納ケースであって、前記本体部と蓋体とホルダーとには、嵌め合せ状態を保持する保持手段が設けられていることを特徴とする収納ケースを提供するものである。
【０００８】
また、前記保持手段は、前記ホルダーに設けられた突片又は突条部と、前記本体部又は蓋体に設けられると共に前記突片又は突条部が嵌合する凹部又は長溝とである構成としたものである。
【０００９】
本発明に係る収納ケースにおいては、本体部と蓋体とホルダーとに嵌め合せ状態を保持する保持手段が設けられているので、ホルダーを無理矢理引っ張っても歪んだり変形しない。従って、万引き対策に有効である。
【００１０】
【発明の実施の形態】
次に、本発明の実施の形態について図面を参照しながら説明する。まず、図１から図３において、符号１１は収納ケースを示し、この収納ケース１１は、本体部１２と、この本体部１２の端部にヒンジ部１３によって折曲自在に設けられると共に本体部１２と合体する蓋体１４と、合体した本体部１２と蓋体１４とに嵌め合わせて合体状態をロックするホルダー１５とから構成される。
【００１１】
本体部１２及び蓋体１４は、プラスチック等の合成樹脂材で形成されており、適度な剛性と弾性とを有していると共に、内部に収納したＤＶＤやＣＤなどの円盤状情報記録媒体を外部から視認できるように透明又は半透明に形成されている。また、本体部１２及び蓋体１４の大きさは、所定規格のＤＶＤ等を収納できる所要の大きさである。
【００１２】
本体部１２のほぼ中央位置には、ＤＶＤ等の中央に形成された中央孔（図示せず）を係止する係止部１６が形成されている。この係止部１６は、円形状に配設される突起部１６ａと切欠部１６ｂとからなり、この突起部１６ａの外周面にＤＶＤ等の中央孔の内周面を係止させるのである。
【００１３】
また、本体部１２には、収納するＤＶＤ等の外周縁が沿う位置に円弧状の凸条部１７、１７が形成されている。この凸条部１７は、ＤＶＤ等を係止部１６に係止させるときに案内部材の役目を果たすので、ＤＶＤ等を所定位置に容易に納めることができる。
【００１４】
本体部１２及び蓋体１４の両側には、それぞれ側板１８、１８、１９、１９が設けられており、側板１８、１８には、外側に向かって突部２０が形成されている。また、側板１９、１９には、小孔２１が形成されている。この突部２０と小孔２１とは対応する位置に設けられており、合体時に係合し合うように形成されている。従って、本体部１２と蓋体１４とを合体したときには、側板１８と側板１９とが重なり合うと共に突部２０が小孔２１に係合するので合体状態が維持される。
【００１５】
更に、本体部１２の内側には小突起２２、２２が設けられている。また、小突起２２と対応する蓋体１４の内側には、凹部２３、２３が設けられており、本体部１２と蓋体１４とを合体したときに小突起２２が凹部２３と嵌合して合体状態がピッタリと維持される。
【００１６】
本体部１２及び蓋体１４の内側における端部には、それぞれ対応する位置にコ字状の枠部２４、２４が形成されており、本体部１２と蓋体１４とを合体したときに、枠部２４同士が当接して凹部２５が形成される。この凹部２５は、合体した本体部１２と蓋体１４との端部にホルダー１５を嵌め合わせたときに、後述する突片３６と嵌合する部位である。
【００１７】
そして、本体部１２と蓋体１４との縁部におけるそれぞれ対応する位置には、凹状切欠部２７ａ、２７ａが形成されている。この凹状切欠部２７ａ、２７ａは、図２に示すように、合体時に重なり合って係合凹部２７を形成する。
この係合凹部２７は、後述するホルダー１５を合体した本体部１２と蓋体１４とに嵌め合わせて、ロック機構３２のロック部材４０を突出させて係合させる部位である。
【００１８】
また、本体部１２の外側における端部及び両方の側部には、図２に示すように、段部２８ａ、２８ｂ、２８ｃを介して受け部２８がコ字状に形成されている。この受け部２８は、合体した本体部１２と蓋体１４とにホルダー１５を嵌め合わせたときに後述する縁板３４がピッタリと嵌る部位となる。
【００１９】
受け部２８には、図２に示すように、長溝２６が形成されており、この長溝２６は、合体した本体部１２と蓋体１４との端部にホルダー１５を嵌め合わせたときに、後述する突条部３７と嵌合する部位である。
【００２０】
蓋体１４の外側には、図３に示すように、段部４３ａを介して受け部４３が形成されている。この受け部４３は、合体した本体部１２と蓋体１４とにホルダー１５を嵌め合わせたときに後述する基板２９がピッタリと嵌る部位となる。
【００２１】
次に、ホルダー１５について説明する。このホルダー１５は、図２及び図３に示すように、合体した本体部１２と蓋体１４との端部、即ち受け部２８、４３に対して嵌め合せて、合体状態をロックするものであり、基板２９と、両方の側面板３０、３１と、一方の側面板３０に設けられたロック機構３２と、底板３３と、コ字状の縁板３４と、前記基板２９の内側面に取り付けられた防犯タグ３５とを備えている。
【００２２】
このホルダー１５を合体した本体部１２と蓋体１４とに嵌め合わせたときには、前述のように、基板２９が受け部４３にピッタリと嵌ると共に、縁板３４が受け部２８にピッタリと嵌ることとなる。
【００２３】
底板３３には、図４に示すように、内側に突出する突片３６が設けられており、この突片３６は、合体した本体部１２と蓋体１４とにホルダー１５を嵌め合わせたときに、凹部２５と嵌合する。
【００２４】
また、縁板３４の内側には、図５に示すように、突条部３７が形成されており、この突条部３７は、合体した本体部１２と蓋体１４とにホルダー１５を嵌め合わせたときに、長溝２６と嵌合する。
【００２５】
ロック機構３２は、図６から図８に示すように、板バネ３８と、この板バネ３８によって突出状態が保持され且つ一方の側面板３０を貫通して設けられたロック部材４０とから構成されている。
【００２６】
板バネ３８は、Ｕ字状に折り曲げて形成されており、ロック部材４０の両端を挟んでいる。また、ロック機構３２本体の下面端には、Ｕ字溝４１が形成されており、このＵ字溝４１に板バネ３８が嵌合されている。更に、ロック部材４０には、係合段部４０ａ、４０ｂが形成されており、押し込んだ際に板バネ３８が両側の係合段部４０ａと係合して押し込んだ状態を保持する。また、釦部４０ｃは、ロック機構３２の上端から突出可能に配設されており、操作者はこの部分を指で押すことにより操作する。
【００２７】
また、係合段部４２ａと係合した板バネ３８は、図示しない所定の解錠装置を用いて、ロック機構３２の外部から強力な磁石により板バネ３８を両側に広げて、ロック部材４０との係合を解除する。
【００２８】
このように、この収納ケース１１は、防犯タグ３５を取り付けたホルダー１５を合体した本体部１２と蓋体１４との端部に装着して、係合凹部２７にロック部材４０を突出させれば、合体状態をロックすることができる。
【００２９】
この時、保持手段、即ち、突片３６と嵌合した凹部２５及び突条部３７と嵌合した長溝２６の存在によって、ホルダー１５と合体した本体部１２と蓋体１４との嵌め合せ状態が強固なものとなり、ホルダー１５を無理矢理引っ張っても歪んだり変形しない。従って、万引き対策に極めて有効である。
つまり、図９の仮想線で示すように、ホルダー１５を無理に変形させようとしても、突片３６と凹部２５とが嵌合しており、突条部３７と長溝２６とが嵌合していることにより変形させることかできない。従って、変形による破損も防止できることとなる。
【００３０】
【発明の効果】
以上説明したように本発明に係る収納ケースは、情報記録媒体が収納される本体部と蓋体とをヒンジ部を介して合体自在に形成し、前記本体部と蓋体とを合体させた後に、ヒンジ部側に対向する端部に嵌め合わせるホルダーを備え、合体した本体部及び蓋体には、係合凹部が形成され、前記ホルダーには、前記係合凹部に突出するロック機構が設けられている情報記録媒体の収納ケースであって、前記本体部と蓋体とホルダーとには、嵌め合せ状態を保持する保持手段が設けられていることによって、ホルダーを無理矢理引っ張っても歪んだり変形しない。従って、万引き対策に有効であるという優れた効果を奏する。
【００３１】
また、保持手段は、前記ホルダーに設けられた突片又は突条部と、前記本体部又は蓋体に設けられると共に前記突片又は突条部が嵌合する凹部又は長溝とであることによって、ホルダーを無理矢理引っ張っても変形せず、嵌め合せ状態が強固に維持されるという優れた効果を奏する。
【図面の簡単な説明】
【図１】本体部１２と蓋体１４とを開いた状態の斜視図である。
【図２】合体した本体部１２と蓋体１４とにホルダー１５を装着する状態を示す斜視図である。
【図３】図２に係る本体部１２と蓋体１４及びホルダー１５を底面側から見た状態の斜視図である。
【図４】図２のＡ−Ａ線断面図である。
【図５】図２のＢ−Ｂ線断面図である。
【図６】ロック機構３２を示す断面図である。
【図７】ロック機構３２を示す底面図である。
【図８】ロック機構３２を示す要部斜視図である。
【図９】収納ケース１１の斜視図である。
【符号の説明】
１１　収納ケース
１２　本体部
１３　ヒンジ部
１４　蓋体
１５　ホルダー
１６　係止部
１６ａ突起部
１６ｂ切欠部
１７　凸条部
１８　側板
１９　側板
２０　突部
２１　小孔
２２　小突起
２３　凹部
２４　枠部
２５　凹部
２６　長溝
２７　係合凹部
２７ａ凹状切欠部
２８　受け部
２８ａ段部
２８ｂ段部
２８ｃ段部
２９　基板
３０　側面板
３１　側面板
３２　ロック機構
３３　底板
３４　縁板
３５　防犯タグ
３６　突片
３７　突条部
３８　板バネ
４０　ロック部材
４０ａ係合段部
４０ｂ係合段部
４０ｃ釦部
４１　Ｕ字溝
４３　受け部
４３ａ段部
【図１】
2004131128.tif 000003
【図２】
2004131128.tif 000004
【図３】
2004131128.tif 000005
【図４】
2004131128.tif 000006
【図５】
2004131128.tif 000007
【図６】
2004131128.tif 000008
【図７】
2004131128.tif 000009
【図８】
2004131128.tif 000010
【図９】
2004131128.tif 000011